(57)【要約】【課題】磁気テープのテープ幅方向のテンションを詳細に検出し、その測定結果に基づいて、テンションを「テープの形状を安定化させるように」制御することができる磁気テープの裁断装置および裁断方法を提供することを課題とする。【解決手段】ウェブＷをローラにより搬送して裁断部３０に案内し、ウェブＷを裁断部３０により長手方向に裁断する磁気テープＭＴの裁断装置Ｓにおいて、裁断部３０の下流に磁気テープＭＴの幅方向に複数並列に配置されたテンション検出手段４０と、裁断部３０の上流に配置されたテンション調整手段５０と、テンション検出手段４０での検出結果に基づいて、磁気テープＭＴのテンション分布が平均化するようにテンション調整手段５０を制御する制御部６０を備えるように構成する。【選択図】  図１
2004178716.tif 000002
【特許請求の範囲】
【請求項１】
ウェブをローラにより搬送して裁断部に案内し、当該ウェブを前記裁断部により長手方向に裁断して磁気記録媒体を形成する磁気テープの裁断装置において、
前記裁断部の下流に磁気テープの幅方向に複数並列に配置されたテンション検出手段と、
前記裁断部の上流に配置されたテンション調整手段と、
前記テンション検出手段での検出結果に基づいて、前記磁気テープのテンション分布が平均化するように前記テンション調整手段を制御する制御部とを備えて構成されることを特徴とする磁気テープの裁断装置。
【請求項２】
前記テンション検出手段は、前記磁気テープの幅方向に並列に配置された２個のローラと、先端において前記ローラを回転自在にそれぞれ支持する板バネと、これらの板バネの基端を固定支持する支持台と、前記板バネに貼り付けられたひずみゲージとを有し、前記ローラが前記磁気テープの表面に押圧されるように配置されたことを特徴とする請求項１に記載の磁気テープの裁断装置。
【請求項３】
前記テンション調整手段は、エキスパンダーロール、クラウンロール、コンケーブロールから選ばれるロールまたはこれらの組合せからなることを特徴とする請求項１または請求項２に記載の磁気テープの裁断装置。
【請求項４】
前記制御部は、裁断された各磁気テープの幅方向テンション差の絶対値の総和が最小となるように前記テンション調整手段を制御することを特徴とする請求項２または請求項３に記載の磁気テープの裁断装置。
【請求項５】
ウェブをローラにより搬送して裁断部に案内し、当該ウェブを前記裁断部により長手方向に裁断して磁気記録媒体を形成する磁気テープの裁断方法において、
前記裁断部の下流に磁気テープの幅方向に並列に配置されたテンション検出手段によって、前記磁気テープのテープ幅方向のテンションを検出し、
前記テンション検出手段での検出結果に基づいて、前記裁断部の上流に配置されたテンション調整手段によって、前記磁気テープのテンションを調整することを特徴とする磁気テープの裁断方法。
【発明の詳細な説明】
【０００１】
【発明の属する技術分野】
本発明は、磁気テープの裁断装置および裁断方法に関し、詳しくは、磁気テープの形状を安定化させて裁断することのできる磁気テープの裁断装置および裁断方法に関するものである。
【０００２】
【従来の技術】
近年、コンピュータのデータバックアップ用等に使用される磁気テープにおいては、高密度記録化が進んでおり、１００ＧＢ（ギガバイト）以上の記憶容量を有するものもある。このような磁気テープでは、磁気テープの長手方向（走行方向）に沿ってデータトラックを形成する場合、データトラック自体の幅や隣り合うデータトラックの間隔を狭くし、データトラックの本数を増やすことによって、記録密度の向上を図っている。例えば、ＬＴＯ（Ｌｉｎｅａｒ  Ｔａｐｅ  Ｏｐｅｎ）規格に準拠した磁気テープカートリッジでは、１２．６５ｍｍのテープ幅に３８４本ものデータトラックを形成している。
【０００３】
前記したような磁気テープは、データトラックの幅および隣り合うデータトラックの間隔が非常に狭くなっているため、磁気テープドライブは、幅の狭い複数のデータ信号記録ヘッドおよびデータ信号再生ヘッドを有するヘッドユニットを備えている。このヘッドユニットは、１つのデータ信号記録ヘッドまたはデータ信号再生ヘッドが、複数の隣り合うデータトラックの記録または再生を受け持っており、ヘッドユニットに対して磁気テープを複数回往復させながら、ヘッドユニット全体を磁気テープの幅方向に微少量移動させることによって、各データ信号記録ヘッドまたはデータ信号再生ヘッドを隣のデータトラック上に移動させ、データトラックの本数分の記録または再生に対応している。
【０００４】
磁気テープの記録／再生時には、磁気テープドライブでは、各データ信号記録ヘッドまたはデータ信号再生ヘッドが対応すべきデータトラック上に正確に位置するように、磁気テープの幅方向におけるヘッドユニットの位置を高精度で制御する必要がある。そのため、磁気テープの幅方向におけるヘッドユニットの位置を制御するトラッキングサーボ技術が導入されている。トラッキングサーボ技術とは、磁気テープに予め書き込まれたサーボ信号をヘッドユニットに設けられたサーボ信号読取ヘッドで読み取り、読み取られたサーボ信号に応じてヘッドユニット移動装置によって磁気テープの幅方向におけるヘッドユニットの位置を移動させて、データ信号記録ヘッドおよびデータ信号再生ヘッドを対応すべきデータトラック上に正確に位置させる技術である。
【０００５】
ところで、前記磁気テープにサーボ信号を書き込む際は、そのサーボ信号を正確に書き込むために、テープの上下動（波打ち）を抑制しなければならない。
磁気テープの上下動を抑制するためには、磁気テープの形状を安定化させることが必要であり、そのためには、スリット工程時に、磁気テープの幅方向のテンションを検出し、その測定結果に基づいて、テンションを「磁気テープの形状を安定化させるように」制御することが求められる。
【０００６】
このような帯状体の幅方向テンション分布を測定する方法としては、例えば、特許文献１に開示されている帯状体のテンション測定装置がある。
この帯状体のテンション測定装置は、磁気テープにかかる空気圧力を圧力センサで検知することによりテンションを測定する。
【０００７】
【特許文献１】
特開平８−１３６３７１号公報
【０００８】
【発明が解決しようとする課題】
しかし、特許文献１に開示されている測定装置では、テープ幅方向のテンション分布を精度よく測定することができないという問題があった。
特に、原反（ウェブ）は幅方向の中央で厚みがあり、その厚みの分布にバラツキがあるため、磁気テープ毎にテープ幅方向のテンションを詳細に検出する必要がある。
【０００９】
そこで、本発明は、磁気テープのテープ幅方向のテンションを詳細に検出し、その測定結果に基づいて、テンションを「テープの形状を安定化させるように」制御することができる磁気テープの裁断装置および裁断方法を提供することを課題とする。
【００１０】
【課題を解決するための手段】
本発明は、前記課題を解決すべく構成されるものであり、請求項１に記載の発明は、ウェブをローラにより搬送して裁断部に案内し、当該ウェブを前記裁断部により長手方向に裁断して磁気記録媒体を形成する磁気テープの裁断装置において、前記裁断部の下流に磁気テープの幅方向に複数並列に配置されたテンション検出手段と、前記裁断部の上流に配置されたテンション調整手段と、前記テンション検出手段での検出結果に基づいて、前記磁気テープのテンション分布が平均化するように前記テンション調整手段を制御する制御部を備えて構成されることを特徴とする。
【００１１】
請求項１に記載の磁気テープの裁断装置によれば、テンション検出手段によって裁断された各磁気テープのテンションを個々に検出し、制御部が、その検出結果に基づいて、ウェブのテンション分布を平均化させるようにテンション調整手段を制御する。そのため、テンション分布が平均化したウェブが搬送され、裁断部は、ウェブを安定した形状を有する磁気テープに裁断することができる。
【００１２】
請求項２に記載の発明は、請求項１に記載の磁気テープの裁断装置において、前記テンション検出手段は、前記磁気テープの幅方向に並列に配置された２個のローラと、先端において前記ローラを回転自在にそれぞれ支持する板バネと、これらの板バネの基端を固定支持する支持台と、前記板バネに貼り付けられたひずみゲージとを有し、前記ローラが前記磁気テープの表面に押圧されるように配置されたことを特徴とする。
【００１３】
請求項２に記載の磁気テープの裁断装置によれば、テンション検出手段は、ウェブのテンションによりローラが押され、このローラの変位により板バネが撓んで、板バネに貼り付けられたひずみゲージが変形する。ひずみゲージの変形から、ローラに掛かった力を計算すれば、ローラが当接した部分におけるウェブのテンションが測定できる。したがって、テンション検出手段を磁気テープの幅方向に設置することにより、磁気テープのテンション分布を高精度で行うことができる。
【００１４】
請求項３に記載の発明は、請求項１または請求項２に記載の磁気テープの裁断装置において、前記テンション調整手段は、エキスパンダーロール、クラウンロール、コンケーブロールから選ばれるロールまたはこれらの組合せからなることを特徴とする。
【００１５】
請求項３に記載の磁気テープの裁断装置によれば、請求項１または請求項２に記載の磁気テープの裁断装置による作用に加え、エキスパンダーロール、クラウンロール、コンケーブロールから選ばれるロールまたはこれらの組合せからなるテンション調整手段が、ウェブの巻きかけ角度を変えられて、それぞれのロール形状に従いウェブの特定箇所のテンションを調整する。そのため、制御部がテンション調整手段を制御することで、ウェブのテンションを平均化させることができ、裁断部は、ウェブを安定した形状を有する磁気テープに裁断することができる。
【００１６】
請求項４に記載の発明は、請求項２または請求項３に記載の磁気テープの裁断装置において、前記制御部は、裁断された各磁気テープの幅方向テンション差の絶対値の総和が最小となるように前記テンション調整手段を制御することを特徴とする。
【００１７】
請求項４に記載の磁気テープの裁断装置によれば、請求項２または請求項３に記載の磁気テープの裁断装置による作用に加え、制御部が、裁断された各磁気テープの幅方向テンション差の絶対値の総和が最小となるようにテンション調整手段を制御する。そのため、テンション分布が平均化したウェブが搬送され、裁断部は、ウェブを安定した形状を有する磁気テープに裁断することができる。
【００１８】
請求項５に記載の発明は、ウェブをローラにより搬送して裁断部に案内し、当該ウェブを前記裁断部により長手方向に裁断して磁気記録媒体を形成する磁気テープの裁断方法において、前記裁断部の下流に磁気テープの幅方向に並列に配置されたテンション検出手段によって、前記磁気テープのテープ幅方向のテンションを検出し、前記テンション検出手段での検出結果に基づいて、前記裁断部の上流に配置されたテンション調整手段によって、前記磁気テープのテンションを調整することを特徴とする。
【００１９】
請求項５に記載の磁気テープの裁断方法によれば、テンション検出手段によって裁断された各磁気テープのテンションを個々に検出し、その検出結果に基づいて、ウェブのテンション分布を平均化させるようにテンション調整手段を制御する。そのため、テンション分布が平均化したウェブが搬送され、裁断部は、ウェブを安定した形状を有する磁気テープに裁断することができる。
【００２０】
【発明の実施の形態】
以下、本発明に係る磁気テープの裁断装置（以下、「裁断装置」という）の一実施の形態について、適宜図面を参照しながら詳細に説明する。
【００２１】
図１は、本実施の形態に係る裁断装置の概略構成図である。
図１に示すように、裁断装置Ｓは、ウェブＷを送り出す送出リール１０（上流側）と、裁断された磁気テープＭＴを巻き取る巻取リール２０（下流側）と、送出リール１０と巻取りリール２０の間に配置される裁断部３０と、裁断部３０の下流側に位置するテンション検出手段４０と、裁断部３０の上流側に位置するテンション調整手段５０と、テンション検出手段４０の検出結果に基づいて、磁気テープＭＴのテープ幅方向におけるテンション分布が平均化するようにテンション調整手段５０を制御する制御部６０とを備えて構成されている。なお、送出リール１０から巻取リール２０までの間には、ウェブＷまたは磁気テープＭＴを案内するガイドローラＧや、配置された箇所で上流側と下流側のテンションを遮断するニップローラＮ等が適宜設けられている。
【００２２】
裁断部３０は、上刃３１と下刃３２とからなり、両者の回転により送出リール１０から送り出されたウェブＷを、所定幅を有する磁気テープＭＴに裁断するように構成されている。この裁断部３０で裁断された磁気テープＭＴは巻取リール２０に巻き取られる。
【００２３】
図２は、テンション検出手段の斜視図である。このテンション検出手段４０は、磁気テープＭＴのテープ幅方向Ｂにおけるテンション分布を検出するためのものである。
テンション検出手段４０は、図２に示すように、支持台４１と、この支持台４１にその基端部が固定され、磁気テープＭＴのテープ幅方向Ｂに平行に配置された２個の板バネ４２，４２と、各板バネ４２に２個ずつ貼り付けられたひずみゲージ４３と、板バネ４２，４２の先端部にそれぞれ独立して保持されるローラ４４Ａ、４４Ｂとを備えている。なお、ローラ４４Ａ，４４Ｂは、ガイドローラＧ，Ｇ間に配置されている。
【００２４】
板バネ４２としては、例えば、りん青銅から成形されたものを用いることが好ましい。りん青銅は、強度が高く、ばね性に優れているという特性がある。
【００２５】
ひずみゲージ４３は、ゲージ線の材料に金属又は半導体を用いたものが用いられる。このひずみゲージ４３は、板バネ４２の表面に、磁気テープＭＴのテープ幅方向Ｂに並んで取り付けられる。つまり、２つの板バネ４２，４２では、磁気テープＭＴのテープ幅方向に沿って、計４つのひずみゲージ４３が並ぶこととなる。
【００２６】
ローラ４４Ａ，４４Ｂは、例えば、ステンレスから成形されており、真円度の高い円柱状に形成されている。これらのローラ４４Ａ，４４Ｂは、各板バネ４２の先端部に取り付けられた保持板４５により回転自在に片持ち支持されている。なお、ローラ４４Ａ，４４Ｂは全く同一のものを用いており、ローラ４４Ａ，４４Ｂは、それぞれの回転軸が同一となるように配置されている。
【００２７】
このように構成されたテンション検出手段４０によれば、走行中の磁気テープＭＴがローラ４４Ａ，４４Ｂを押圧した際の板バネ４２の撓みを、板バネ４２に貼り付けられたひずみゲージ４３でそれぞれ検出することによって、磁気テープＭＴのテープ幅方向Ｂにおけるテンションの分布を測定することができる。なお、このテンション検出手段４０の詳細については、本願と同一出願人による特願２００２−１４１４１１を参照されたい。
【００２８】
図３は、テンション調整手段の斜視図である。また、図４は、テンション調整手段によるテンションの調整方法を説明するための図であり、（ａ）はウェブのテープ幅方向Ｂにおける中央付近のテンションを高くする場合を示し、（ｂ）は前記テンションを低くする場合を示す。このテンション調整手段５０は、ウェブＷの幅方向Ｂにおけるテンション分布を調節するためのものである。
図３に示すように、テンション調整手段５０は、裁断部３０より上流側に配置されるガイドローラＧ，Ｇ間に配置されるクラウンロール５１と、クラウンロール５１の両端を支持する支持部５２，５２と、支持部５２，５２を介してクラウンロール５１を昇降させる図示しない昇降機構とからなる。なお、ここでいう「昇降」とは、ガイドローラＧ，Ｇを結ぶ面Ｃに対して、ウェブＷの表面と接しているクラウンロール５１を接近または離間させることを意味する。
【００２９】
クラウンロール５１は軸方向（ウェブＷの幅方向）の中央の径が大きく、両端の径が小さい中高のロールである。
昇降機構が、ウェブＷを巻きかけられたクラウンロール５１を昇降させることで、ウェブＷの幅方向のテンションは調整される。たとえば、図４（ａ）に示すように、クラウンロール５１を下方向（面Ｃから遠ざかる方向）に下げることで、ウェブＷの中央付近のテンションは高くなり、反対に、図４（ｂ）に示すように、クラウンロール５１を上方向（面Ｃに近づく方向）に持ち上げることで、ウェブＷの中央付近のテンションは低くなる。
なお、本実施の形態では、クラウンロール５１としたが、本発明では、エキスパンダーロール、クラウンロール、コンケーブロールから選ばれるロールまたはこれらの組合せなど、様々なロールを好適に用いることができる。特に、これらのロールを組み合わせて使用すれば、ウェブＷの幅方向Ｂにおけるテンションの分布が複雑であった場合でも、前記テンションの分布が均一となるように調整することができる。
【００３０】
次に、このように構成された裁断装置Ｓの動作について説明する。
まず、送出リール１０に設置されるウェブＷは、ガイドローラＧ等に案内されながら裁断部３０まで搬送され、所定幅を有する磁気テープＭＴに裁断される。そして、裁断された各磁気テープＭＴは巻取リール２０に巻き取られる（図１参照）。
このとき、テンション検出手段４０が、磁気テープＭＴのテープ幅方向Ｂにおけるテンションの分布を測定し、その検出結果に基づいて、制御部６０がテンション調整手段５０を制御することにより、磁気テープＭＴのテープ幅方向Ｂにおけるテンション分布が均一となるように調整する。
【００３１】
図５は、テンションの調整方法を説明する図であり、磁気テープＭＴ上にテンション検出手段４０のローラ４４Ａ，４４Ｂが当接して、それぞれテンションＴ１，Ｔ２・・・を検出している図である。
図５を参照しながら説明すると、制御部６０は、裁断された各磁気テープＭＴのテープ幅方向Ｂのテンション差（Ｔ２−Ｔ１、Ｔ４−Ｔ３、Ｔ６−Ｔ５・・・）の絶対値の総和が最小となるようにテンション調整手段５０のクラウンロール５１を適宜昇降させてウェブＷのテンションを調整する。
式で表すと、
｜Ｔ２−Ｔ１｜＋｜Ｔ４−Ｔ３｜＋｜Ｔ６−Ｔ５｜＋・・・
の値が最小となるようにする。
【００３２】
以上によれば、本実施の形態に係る裁断装置Ｓにおいて、以下の効果を得ることができる。
裁断された磁気テープＭＴの幅方向Ｂのテンション検出結果に基づいて、ウェブＷのテンションを調整することで、テンション分布が平均化したウェブＷが裁断部３０に搬送され、ウェブＷを安定した形状を有する磁気テープＭＴに裁断できる。そのため、磁気テープＭＴの形状を安定化させることができ、サーボライト時のテープの上下動の安定性を確保できるとともに、ドライブ走行時の巻き乱れ要因も小さくでき、磁気記録媒体においては、さらなる高密度化が可能になる。
【００３３】
また、テンション検出手段４０に、磁気テープＭＴの幅方向Ｂに並列に配置された２個のローラ４４Ａ，４４Ｂが、磁気テープＭＴの幅方向Ｂの両側部分におけるテンションを検出できるため、幅方向Ｂのテンションを精度良く検出できる。
【００３４】
以上、本実施の形態について説明したが、本発明はこれに限定されるものではなく、本発明の趣旨を逸脱しない範囲で適宜設計変更が可能である。
たとえば、本実施の形態では、テンション調整手段５０において、クラウンロールを上下に昇降させてテンションを調整しているが、本発明はこれに限定されず、たとえば、ウェブの走行方向に対する角度を変化させてテンションを調整する構成としてもよい。
【００３５】
【発明の効果】
本発明によれば、テンション分布が平均化したウェブが裁断部まで搬送され、裁断部は、ウェブを安定した形状を有する磁気テープに裁断することができる。そのため、磁気テープＭＴの形状を安定化させることができ、サーボライト時のテープの上下動の安定性を確保できるとともに、ドライブ走行時の巻き乱れ要因も小さくでき、磁気記録媒体においては、さらなる高密度化が可能になる。
【００３６】
また、テンション検出手段に磁気テープの幅方向に並列に配置された２個のローラを設けることで、磁気テープの幅方向の両側部分におけるテンションを検出でき、幅方向のテンションを精度良く検出できる。
【図面の簡単な説明】
【図１】本実施の形態における裁断装置の概略構成図である。
【図２】テンション検出手段の斜視図である。
【図３】テンション調整手段の斜視図である。
【図４】テンション調整手段によるテンションの調整方法を説明するための図であり、（ａ）はウェブのテープ幅方向Ｂにおける中央付近のテンションを高くする場合を示し、（ｂ）は前記テンションを低くする場合を示す。
【図５】テンションの調整方法を説明する図である。
【符号の説明】
１０        送出リール
２０        巻取リール
３０        裁断部
４０        テンション検出手段
５０        テンション調整手段
６０        制御部
Ｓ          裁断装置
Ｗ          ウェブ
Ｎ          ニップローラ
Ｇ          ガイドローラ
ＭＴ        磁気テープ
【図１】
2004178716.tif 000003
【図２】
2004178716.tif 000004
【図３】
2004178716.tif 000005
【図４】
2004178716.tif 000006
【図５】
2004178716.tif 000007